(57)【要約】吊下げ式吸音シーリング点検パネル装置（１００）は、標準的なシーリングタイル（１０５）を支持する戸枠（１０３）と、ピボットブラケット（１０２）の形態で、戸枠（１０３）の両側の、枠の一端近傍に回転可能に取り付けられたハンガー組立体とを備える。ピボットブラケット（１０２）は、戸枠（１０３）を回転可能に支持して、標準的なシーリンググリッド部材（１０１）上を容易に摺動し、グリッド部材（１０１）に取り外し可能に留めつけられるように形成される。戸枠（１０３）はまた、ピボットブラケット（１０２）とシーリンググリッド部材（１０１）とに回転可能に取り付けられた端部と反対側の端部に、ラッチ部材（１０９）を備えている。ラッチ部材（１０９）は、点検パネル装置（１００）が閉位置にあるとき、手動で位置決めされ、シーリンググリッド部材（１０１）と係合する。
2004500501.tif 000002
【特許請求の範囲】
【請求項１】
戸枠と、ハンガー組立体とを備え、該ハンガー組立体は、シーリンググリッド部材上に留めつけられ、該枠は前記ハンガー組立体に回転可能に連結され、標準的なシーリング型タイルを取り外し可能に支持するようにしたことを特徴とする、吊下げ式吸音シーリング点検パネル装置。
【請求項２】
前記ハンガー組立体は、前記シーリンググリッド部材に手動で留めつけられるようにしたことを特徴とする、請求項１に記載の吊下げ式吸音シーリング点検パネル装置。
【請求項３】
前記ハンガー組立体は、前記シーリンググリッド部材に取り外し可能に留めつけるためのつまみネジを含むことを特徴とする、請求項２に記載の吊下げ式吸音シーリング点検パネル装置。
【請求項４】
前記ハンガー組立体は、前記戸枠の第１端部近傍の、前記戸枠の両側のそれぞれに回転可能に連結されたことを特徴とする、請求項３に記載の吊下げ式吸音シーリング点検パネル装置。
【請求項５】
前記戸枠は、点検パネル装置が閉位置にあるとき、前記シーリンググリッド部材と係合するラッチ部材を含み、該ラッチ部材は前記戸枠の前記第１端部と反対側の第２端部に位置することを特徴とする、請求項４に記載の吊下げ式吸音シーリング点検パネル装置。
【請求項６】
前記戸枠は、チャネル部材から形成され、前記チャネル部材の少なくとも１つの上のフランジが前記標準的なシーリング型タイルを支持する面を備えたことを特徴とする、請求項５に記載の吊下げ式吸音シーリング点検パネル装置。
【請求項７】
シーリングタイルを支持し近接端と遠心端とを持つ戸枠と、前記戸枠の両側に前記近接端で回転可能に接続され、それぞれが吊下げ式シーリング内のシーリンググリッド部材と係合する第１および第２のブラケットとを備えたことを特徴とする、吊下げ式シーリング点検パネル装置。
【請求項８】
前記戸枠が、前記戸枠に前記遠心端で接続され、前記吊下げ式シーリング内のシーリンググリッド部材と選択的に係合するラッチ部材を含むことを特徴とする、請求項７に記載の吊下げ式シーリング点検パネル装置。
【請求項９】
前記ブラケットが、前記ブラケットを前記吊下げ式シーリング内のシーリンググリッド部材に手動で留めつける手段を含むことを特徴とする、請求項８に記載の吊下げ式シーリング点検パネル装置。
【請求項１０】
前記ブラケットを前記シーリンググリッド部材に手動で留めつける前記手段は、つまみネジを含むことを特徴とする、請求項９に記載の吊下げ式シーリング点検パネル装置。
【請求項１１】
前記戸枠をチャネル状構造部品から形成し、前記ブラケットをシーリンググリッド部材上を滑落し、かつ前記ブラケットを手動で前記シーリンググリッド部材に留めつけることにより、前記ブラケットを前記シーリンググリッド部材上に容易に搭載できるように形成したことを特徴とする、請求項７に記載の吊下げ式シーリング点検パネル装置。
【請求項１２】
前記ブラケットが、前記ブラケットを手動でシーリンググリッド部材に留めつけるためのつまみネジを含むことを特徴とする、請求項１１に記載の吊下げ式シーリング点検パネル装置。
【請求項１３】
前記戸枠が、前記戸枠に前記遠心端で接続されて、前記吊下げ式シーリング内のシーリンググリッド部材と選択的に係合するラッチ部材を含むことを特徴とする、請求項１２に記載の吊下げ式シーリング点検パネル装置。
【請求項１４】
前記ラッチ部材が細長いラッチプレートに固定されたつまみネジを含み、前記つまみネジの回転により、前記戸枠の遠心端から伸長して前記シーリンググリッド部材と係合する位置と、前記戸枠内にあり、前記戸枠がシーリンググリッド部材に関して前記戸枠の近接端を中心に回転するようにした位置との間で、前記ラッチプレートを移動することを特徴とする、請求項１３に記載の吊下げ式シーリング点検パネル装置。
【請求項１５】
各前記ブラケットは、ブラケットが回転可能に接続される前記戸枠の一側面よりも短いことを特徴とする、請求項１４に記載の吊下げ式シーリング点検パネル装置。
【請求項１６】
前記戸枠の前記近接端近傍の前記戸枠と各前記ブラケットの開口を貫通するヒンジピンにより、各前記ブラケットが、前記戸枠に回転可能に接続されることを特徴とする、請求項１５に記載の吊下げ式シーリング点検パネル装置。
【請求項１７】
２個のブラケットを含み、各ブラケットが戸枠の両側に回転可能に接続されて、シーリングタイルを支持し、前記戸枠の近接端近傍の前記戸枠に回転可能に接続されるシーリング点検パネル装置を搭載する方法であって、一組のシーリンググリッド部材から前記シーリングタイルを取り外す工程と、回転可能に接続された前記ブラケットを有する前記戸枠の近接端を、前記シーリングタイルを取り外すことにより残った前記シーリンググリッド部材間の開口に挿入する工程と、前記戸枠の両側に近接する前記シーリンググリッド部材上に前記ブラケットを降下する工程と、前記ブラケットを前記シーリンググリッド部材に手動で留めつける工程とを含むとを特徴とする、シーリング点検パネル装置を搭載する方法。
【請求項１８】
前記ブラケット上のつまみネジを前記シーリンググリッド部材に対して締め付けることにより、前記ブラケットを手動で前記シーリンググリッド部材に留めつけることを特徴とする、請求項１７に記載の方法。
【請求項１９】
前記シーリングタイルを前記戸枠内に載置し、該シーリングタイルを前記戸枠に対して固定する工程をさらに含むことを特徴とする、請求項１８に記載の方法。
【請求項２０】
前記戸枠と前記シーリングタイルが、前記シーリンググリッド部材とほぼ平行になるまで、前記戸枠を前記シーリンググリッド部材に対し、前記ブラケットを中心として回転し、前記戸枠の近接端と反対側の遠心端で、前記戸枠を前記シーリンググリッド部材に係止する工程をさらに含むことを特徴とする、請求項１９に記載の方法。
【発明の詳細な説明】
【０００１】
（技術分野）
本発明は、吊下げ式吸音シーリング装置の点検用パネルに関する。
【０００２】
（背景技術）
吊下げ式吸音シーリング装置は、一般的に、配管、電気配線、通信配線等の機能装置をマスクするものである。吊下げ式吸音シーリング装置には、次の二つの基本タイプがある。すなわち、（１）シーリングタイルを、実体的取り付け具を使用せずに、金属グリッドサスペンション装置内に持ち上げ、収める、内蔵型点検用パネル装置、および（２）タイルを金属グリッドに相互接続し、定位置に固定してはずれないようにした、固定結合装置である。
【０００３】
内蔵型吊下げ式吸音シーリング装置の利点は、簡単に取り外したり、交換したりできるシーリングタイルを介して、シーリング装置上にある装置に手が届くことである。固定スプライン（固定タイル）装置には、常設点検パネルを使用し、あるいは作業をその上で完了するときには、シーリングは取り外せなければならない。
【０００４】
しかし、残念ながら、内蔵型タイル装置は、容易に手が届くけれども、いくつかの難点がある。例えば、シーリングタイルは通常、外形が同一なので、整備員は必要な接近箇所を見つけるために、多くのタイルを開けなければならない。しかも、シーリングタイルは比較的高価で、整備員がそれを取り外したり交換したりするときはいつも損傷を受け、パネルの縁が剥離して、床や設備の上や備品の下に堆積したりする。技術が進歩するにつれて、ビル内の天井の上に伸長する通信その他様々の配線の量は増加の一途で、この天井プレナム領域に経常的に接近する必要性は、日常的になっている。この代表的な内蔵型シーリングを継続的に開けることは、シーリングタイルとグリッドに対して有害である。点検パネルを要所要所に配置することにより、吸音シーリング装置にかかるストレスを軽減し、装置全体の外観を保持することができる。
【０００５】
従来技術による内蔵型吸音シーリングタイルの点検パネル組立体がいくつか知られている。しかし、ほとんどの公知の点検パネル組立体は、外枠と、その枠をシーリンググリッドに固定する様々な種類のハードウェアとクリップのついた扉とで構成されている。現在の点検パネル組立体の設計には、数多くの種類があるが、以下のことが考えられている。
（ａ）現在の全ての点検パネル装置の設計には、開口の周囲の、点検パネルドアの開口の寸法を小さくした点検扉から離れたところに完全な外枠が必要である。この枠は、様々な種類の接続装置により、シーリンググリッド装置に固定されている。
（ｂ）点検パネルドアは、外枠から蝶番で留められており、手動操作ロックで、閉位置に保持される。
（ｃ）現在の全吸音点検パネルの重量は、２ポンド以上である（シーリングパネルタイルを含まず）。
【０００６】
天井の点検パネルの寸法を小さくすることに加えて、現在の装置上では、外枠は、シーリングタイルを支持し保持するために設計された第２の内側戸枠を支持し保持することが必要である。戸枠を外枠に蝶番で留め、天井に合致する吸音タイルパネルに嵌合する。その結果、従来の点検パネル装置は、点検パネル組立体を支持して、吸音シーリンググリッドに接続し、固定するために、吸音シーリンググリッドに複雑な変更を加えることが必要である。
【０００７】
（発明の開示）
以上で説明した、吊下げ式吸音シーリングの従来の点検パネル装置の不利点と欠点を鑑みて、本発明は、必要な材料の量を最小化し、従来の点検パネル組立体に比べて設計を簡単化した、簡単かつ安価で、適合性があり、信頼性、再利用性に優れた吊下げ式吸音シーリング点検パネル組立体を提供する。シーリンググリッドに別体の外枠を取り付ける必要性がないため、重量、コスト、取り付け具が削減される。現在のシーリンググリッドを外側戸枠として利用するという、固有の設計である。扉の組立体をシーリンググリッドに固定する道具を必要としない。さらに、本発明の点検パネル装置は、現在の装置よりもかなり軽量である。例えば、代表的な、２４インチ×２４インチのパネル組立体（シーリングタイルは含まず）の重量は、最低２ポンドから２０ポンドである。本発明の装置は、シーリングタイルを除いて、約１ポンドである。
【０００８】
パネル装置は、組立構成で提供され、所望のシーリングタイルの搭載に供される。ヒンジピボットポイントを置くことにより、扉はスムーズに回転してシーリンググリッドの空隙を遥動する。点検組立体パネルは、同じグリッド寸法のモジュールシーリング装置、すなわち２４インチ×２４インチから２４インチ×４８インチなどの寸法の装置間で交換可能である。点検パネルは、シーリンググリッドに取り付けるために別体の外枠を必要とせず、そのため、組立体は、軽量で取り扱いが容易であり、最大に開口することができる。点検パネル装置は、ドアパネルとヒンジ組立体を持ち上げて定位置に収め、シーリンググリッドと係合する取り付けプレートに固着したつまみネジを締め付けることにより、金属シーリンググリッド装置に固定される。つまみネジをゆるめ、パネル組立体を持ち上げて、シーリンググリッド内の別の位置に再配置することにより、再配置と再利用を、容易に迅速に行なうことができる。ドアパネルと取り付け具の寸法は、公知の全ての内蔵型吸音点検パネル装置に応用できるように選択する。
【０００９】
したがって、本発明によれば、公知の技術を上回る重要な利点が提供される。本発明に係る装置は、比較的安価で、構成、組立、保持が容易である。現在のドロップ型シーリングタイルに替わって容易に改造できる。整備員は、容易に、電気配線や配管などの重要な機能部材を認識しそれらに接近できる。また、ドロップ型シーリングの破壊を最小限に食い止めるので、外観上もよい。従来の装置の標準的な外枠を取り除き、現在のシーリンググリッド上の定位置に、組立体を固定するために使用するつまみネジのようなコネクタで、ヒンジピボットポイントを最適な箇所に配置することにより、この点検パネル組立体は、全ての現在の公知技術よりも、軽量となり、容易に搭載することができる。ドアパネルは、吸音シーリングパネルを定位置に保持するためにバネクリップを使用する。特別な取り付け具は必要としない。
【００１０】
（発明を実施するための最良の形態）
図１から図１１を全体に参照して、点検パネル組立体１００は、標準的な吊り下げ式吸音シーリンググリッド１０１内に搭載されている。点検パネル組立体１００は、ピボットブラケット１０２と、戸枠１０３と、従来のシーリングタイル１０５とを含む。
【００１１】
公知の従来技術による全ての点検パネル組立体は、内側戸枠と外側戸枠の組立体を採用し、外側戸枠は、様々な種類の固定装置によりシーリンググリッドに固定されている。図１および図２に明らかに示すように、本発明の点検ドア組立体は、吊り下げ式シーリンググリッド装置に接続ポイントを設けるために、別体の外枠を使用あるいは必要としていない。図１、２，８，８Ａでよくわかるように、ピボットブラケット１０２を備えることにより、パネル組立体がシーリンググリッドに接続できる。ピボットブラケット１０２は、開放直方体金属部（チャネル）１１０と、閉鎖直方体部１０８とを含み、共にヒンジブラケットとシーリンググリッド接続装置とを形成するように機能する。ブラケット１０２の長さは、シーリンググリッド部材に沿って十分な長さだけ伸長するように選択され、点検パネル組立体を安定して支持する。図２で示すように、戸枠１０３の開口の反対側にあるブラケット１０２の長さは、間隔を空けた２つのコネクタ１０４が、各ブラケットをシーリンググリッドの対応する部分に取り付けられるようにしている。図８および図８Ａに示すピボットブラケット１０２の好適な実施例では、ブラケット１０２の長さは約８インチである。
【００１２】
図８Ａでよくわかるように、ピボットブラケット１０２の閉鎖直方体部１０８は、開放直方体金属部（チャネル）１１０の一方の脚部１１０ａの内側表面に沿って、溶接あるいは接着されている。開放直方体金属部（チャネル）１１０の間隔を置いて配置した平行な脚部１１０ｂは、シーリンググリッド１０１の上縁１０１ａ上に取り付けられ、閉鎖直方体部１０８は、シーリンググリッド１０１の中央ウェブ１０１ｂに近接して配置されている。開放直方体部（チャネル）１１０の脚部１１０ａに沿って、結合された直方体部１０８により形成された二重壁は、金属あるいは他の適当な材質で、ヒンジピン１１１のようなピボット部材を受けるネジ孔を形成するのに十分な厚みを備える。ナイロン座金１１１ａのようなスペーサを、戸枠１０３とピボットブラケット１０２間のヒンジピン１１１上に配置し、シーリンググリッド部材１０１間の開口の中央にある内枠を保持し、戸枠１０３とピボットブラケット１０２間の、滑らかな無摩擦相対回転を可能にする。
【００１３】
図１から図４で明白に示すように、ピボットブラケット１０２と戸枠１０３は、好ましくは、アングル台やチャネル台などのような標準的なアルミニウム構成部品から組み立てる。点検パネル組立体１００は、標準的な吊り下げ式シーリング吸音タイルを交換できる寸法である。パネル組立体１００は、標準的な吊り下げ式シーリング金属グリッド装置に搭載され、同じ物理的動作が、吸音タイルを搭載するために行なわれる。ピボットブラケット１０２は、ヒンジピン１１１およびスペーサ１１１ａにより、戸枠１０３の一方の端近くの戸枠１０３の両側に回転可能に接続される。図８Ａで示すように、戸枠１０３とピボットブラケット１０２は、シーリンググリッド部材１０１間の所望の開口に配置され、ピボットブラケット１０２の開放直方体部１１０をシーリンググリッド部材１０１の上縁１０１ａ上に配置し、好ましくはつまみネジである、間隔を置いて配置したコネクタ１０４を、各シーリンググリッド部材１０１の中央ウェブ１０１ｂを、つまみネジ１０４と各ピボットブラケット１０２の閉鎖直方体部１０８との間に留めつけるまで、締め付ける。
【００１４】
戸枠１０３は、好ましくは、図３および図３Ａに断面図で示すような、チャネル台から形成し、溶接、蝋付け、ボルト締め、ネジ留めなどの従来の結合技術により、立方体や直方体構造に接合する。標準的な台アルミニウムアングル１０６もまた、図４及び図５で示すように、さらなる補強のため、溶接、ネジ留め、リベット留め、ピン留めその他の手段により、枠のコーナーに接合される。アングル１０６により補強された、コーナーの戸枠１０３の厚みによっても、図８および図８Ａで示すように、ヒンジピン１１１をさらに安定して支持することができる。図３で示すように、戸枠１０３を形成するチャネル台の底部の脚部は、上部の脚部より長く、それによりリップ部３０１を形成し、標準的なシーリングタイル１０５を支持する。
【００１５】
図３で明白に示すように、シーリングタイル１０５は、好ましくは、戸枠１０３に取り外し可能に結合する。シーリングタイル１０５は、好ましくは、戸枠１０３の下部リップ３０１上に載置され、弾性クリップ３０４のような、適切な取り外し可能なバネ留め具により、定位置に保持される。この弾性クリップ３０４は、好ましくは、つまみネジ３０５のような、適切な留め具により、戸枠１０３に取り外し可能に留められる。シーリングタイル１０５を戸枠１０３に留める留め具としては他に、回転クリップやその他のバネ式留め具などがあり、シーリングタイル１０５を戸枠１０３に取り付けたり取り外したりできるものであればどれでもよい。シーリングタイルの枠への取り付けは、シーリングタイルを、もっと広い場所、すなわち、従来のシーリングパネル装置の周囲に取り付ける操作と同様である。
【００１６】
図６，６Ａ，７，７Ａにおいて、ラッチ組立体１０９は、戸枠１０３を閉鎖位置においてシーリンググリッド１０１に固定する。ラッチは戸枠１０３の縁の、ヒンジピン１１１と反対側の端部に位置する。好適な実施例によれば、各ラッチ組立体１０９は、回転板７０３に取り付けられたつまみネジ７０１を含む。そのラッチ組立体は、戸枠１０３の底部（下面）に結合されている。図７Ａでよくわかるように、つまみネジ７０１の端部に取り付けられた回転板７０３は、ナイロン座金７０５により戸枠１０３と隔てられている。スロット７０７が、戸枠１０３のラッチ組立体１０９の近傍に形成され、ラッチ組立体１０９が、延長位置に動作（回転）したときに、回転板７０３のためのスペースを形成し、扉を閉鎖位置に保持する。
【００１７】
図６で示すようにラッチ組立体１０９が第１位置７０２にあるとき、回転板７０３はシーリンググリッド１０１の上面と係合し、それにより戸枠１０３は閉鎖位置に保持される。ラッチ１０９が第２位置７０４に回転したとき（図６参照）、回転板７０３はシーリンググリッド１０１と係合せず、従って戸枠１０３はヒンジピン１１１を中心として回転して回転可能となる。様々な型の開閉自在なラッチ機構が適切であるが、好適な実施例においては、ラッチ１０９は工具を使わずに手動で開閉できる。
【００１８】
図９，９Ａ，１０，１１で示すように、点検パネル装置１００をモジュラー型吊下げ式シーリング装置に取り付けるには、様々なシーリング装置および寸法の搭載技術が使用できる。
【００１９】
図９は、縁タイルが露出した標準的なシーリンググリッドに搭載した点検パネル組立体１００を示す。この構成では、図９から１１で示した全ての構成と同様に、点検パネルが閉鎖位置にあるとき、戸枠１０３はシーリンググリッド１０１内で、一端をヒンジピン１１１で、他端を回転板７０３で吊下げられる。図１０は、シーリングタイルが内蔵型の標準的なシーリンググリッドに搭載された、本発明による点検パネルを示す。図１１は、隠しスプライングリッドおよびタイルシーリング内に搭載された、本発明による点検パネルを示す。全ての図面の構成において、閉鎖型点検パネル組立体１００は、ラッチ組立体１０９の回転板７０３が、閉位置から開位置まで移動するように、つまみネジ７０１をつまんで回転することにより開けることができる。そして戸枠１０３は下降してヒンジピン１１１から自在に吊下げられ、点検パネル組立体１００により通常は隠されている機能部材に接近できる。
【００２０】
本発明の性質を説明するために説明され図示された部品の内容、材料、配置は、以下に述べる請求項で説明されるような本発明の原則と範囲とからそれることなく、同業者により様々に変更することができることは理解されよう。例えば、戸枠およびピボットブラケットを形成する材料は、アルミニウムでなく射出成形プラスチックでもよい。ピボットブラケットは、射出成形プラスチックなど様々な材料から形成でき、現在のシーリンググリッド部材上を容易に摺動し、シーリンググリッド部材に手動で留めつけられるように様々な方法で構成され，点検パネル組立体の強固な回転取り付け具を提供する。
【図面の簡単な説明】
【図１】
本発明の好適な実施例による点検パネル組立体の底面図である。
【図２】
図１で示す点検パネル組立体の上面図である。
【図３】
本発明の好適な実施例による、シーリングタイルをはめ込んだ点検パネル組立体の戸枠の断面図、および戸枠を形成するために使用される典型的なチャネル台の断面図である。
【図３Ａ】
本発明の好適な実施例による、シーリングタイルをはめ込んだ点検パネル組立体の戸枠の断面図、および戸枠を形成するために使用される典型的なチャネル台の断面図である。
【図４】
本発明の好適な実施例による、点検パネル組立体の戸枠のコーナーの底面詳細図である。
【図５】
図４に示す戸枠のコーナーの一部の断面図である。
【図６】
本発明の好適な実施例による、点検パネル組立体のラッチの底面図および詳細図である。
【図６Ａ】
本発明の好適な実施例による、点検パネル組立体のラッチの底面図および詳細図である。
【図７】
本発明の好適な実施例による、点検パネル組立体のラッチの側面図および詳細断面図である。
【図７Ａ】
本発明の好適な実施例による、点検パネル組立体のラッチの側面図および詳細断面図である。
【図８】
本発明の好適な実施例による、点検パネル組立体の蝶番の底面図および詳細断面図である。
【図８Ａ】
本発明の好適な実施例による、点検パネル組立体の蝶番の底面図および詳細断面図である。
【図９】
本発明の好適な実施例による、縁タイルを露出した点検パネル組立体の側断面図および点検パネル組立体の代表的なタイル保持・押し下げクリップの詳細図である。
【図９Ａ】
本発明の好適な実施例による、縁タイルを露出した点検パネル組立体の側断面図および点検パネル組立体の代表的なタイル保持・押し下げクリップの詳細図である。
【図１０】
内蔵型タイルあるいは隠しシーリングタイルと共に使用する、本発明の実施例の側断面図である。
【図１１】
内蔵型タイルあるいは隠しシーリングタイルと共に使用する、本発明の実施例の側断面図である。
【国際公開パンフレット】
2004500501.tif 000003
2004500501.tif 000004
2004500501.tif 000005
2004500501.tif 000006
2004500501.tif 000007
2004500501.tif 000008
2004500501.tif 000009
2004500501.tif 000010
2004500501.tif 000011
2004500501.tif 000012
2004500501.tif 000013
2004500501.tif 000014
2004500501.tif 000015
2004500501.tif 000016
2004500501.tif 000017
2004500501.tif 000018
2004500501.tif 000019
2004500501.tif 000020
2004500501.tif 000021
2004500501.tif 000022
2004500501.tif 000023
【国際調査報告】
2004500501.tif 000024
2004500501.tif 000025